(57)【要約】    【課題】  状況に応じてスペースを有効利用しつつ使用者が腰掛けることができるベンチの提供。    【解決手段】  座板状部Ｃは、横長長方形状をなす厚板状の座板基体Ｃｂの前端部に前支持部Ｆを支持し、座板基体Ｃｂの上側に腰掛けるための座面部Ｃｓを有する。座板状部Ｃは、前支持部Ｆが上方位置に位置する垂直立ち上がり状態と、座面部Ｃｓが使用者の臀部付近を上向きに支持する略水平状態を、回動して変換し得る。後支持部Ｒはフレーム部Ｗの後部上端水平バーＲｕによって支持され、上方位置に位置する前支持部Ｆに対し後上方に位置する。座板状部Ｃが垂直立ち上がり状態にあって前支持部Ｆが上方位置に位置する場合に、前支持部Ｆにより主として臀部付近が上向きに支持され且つ後支持部Ｒにより主として腰部付近が前向きに支持される。【選択図】      図３
2018075324.tif 000002
【特許請求の範囲】
【請求項１】
上方位置に位置した状態において使用者の主として臀部付近を上向きに支持するための前支持部と、
上方位置に位置する前記前支持部により主として臀部付近が上向きに支持された使用者の、主として腰部付近を前向きに支持するための、前記上方位置に位置する前支持部に対し後上方に位置する後支持部と、
前記前支持部及び腰掛けるための座面部を有し、前支持部が上方位置に位置する立ち上がり状態と、座面部に腰掛けた使用者を上向きに支持し得る状態である座面部支持状態を変換し得る座板状部を備えることを特徴とするベンチ。
【請求項２】
上記立ち上がり状態においては、上記座板状部の座面部が後向き垂直状又は前方上向き傾斜状をなし、
上記座面部支持状態においては、立ち上がり状態に比し、前記座面部が前方へ張り出し、上記前支持部が前下方に位置する請求項１記載のベンチ。
【請求項３】
上記座面部支持状態における座面部は、上方位置に位置した状態の上記前支持部に比し、使用者の臀部付近を含む広い部分をを上向きに支持し得るものである請求項１又は２記載のベンチ。
【請求項４】
上記座板状部が、立ち上がり状態と座面部支持状態を、前後方向に対し直交する水平方向の回動軸線のまわりに回動して変換し得るものである請求項１乃至３の何れか１項に記載のベンチ。
【請求項５】
上記の上方に位置した前支持部と、後支持部は、一人を支持し得るもの又は左右方向に並んだ複数人を支持し得るものである請求項１乃至４の何れか１項に記載のベンチ。
【請求項６】
上方位置に位置した状態の前支持部と後支持部の間の下方に、前支持部により主として使用者の臀部付近が上向きに支持され且つ後支持部により主として使用者の腰部付近が前向きに支持された状態において前支持部により支持された部位と後支持部により支持された部位の間の使用者の部位が一部を占め得る空間部を有する請求項１乃至５の何れか１項に記載のベンチ。
【発明の詳細な説明】
【技術分野】
【０００１】
本発明は、主として、駅のホーム、その他の駅構内、公園等に設置されるベンチに関する。
【背景技術】
【０００２】
意匠登録第１３７１８５３号公報には、脚部をなす２本の丸棒状の支柱と、腰掛部をなす３本の丸棒状の横渡し棒とを備え、２本の横渡し棒はわずかに下方へ傾斜して配設されて座部を形成し、他の１本の横渡し棒は、座部に対して上後方に配設されて背当て部を形成するベンチの発明が記載されており、これに類するベンチも市販され、駅等に設置されている。
【０００３】
この種のベンチは、比較的混雑する駅のホーム等においてスペースを節約しつつ使用者が比較的短時間腰掛ける設備として有用であるが、同じ場所でも混雑しない時間帯においてはかえってスペースが有効に利用できていないこととなる。
【先行技術文献】
【特許文献】
【０００４】
【特許文献１】意匠登録第１３７１８５３号公報
【発明の概要】
【発明が解決しようとする課題】
【０００５】
本発明は、状況に応じてスペースを有効利用しつつ使用者が腰掛けることができるベンチを提供することを目的とする。
【課題を解決するための手段】
【０００６】
本発明のベンチは、次のように表すことができる。
【０００７】
(1) 上方位置に位置した状態において使用者の主として臀部付近を上向きに支持するための前支持部と、
上方位置に位置する前記前支持部により主として臀部付近が上向きに支持された使用者の、主として腰部付近を前向きに支持するための、前記上方位置に位置する前支持部に対し後上方に位置する後支持部と、
前記前支持部及び腰掛けるための座面部を有し、前支持部が上方位置に位置する立ち上がり状態と、座面部に腰掛けた使用者を上向きに支持し得る状態である座面部支持状態を変換し得る座板状部を備えることを特徴とするベンチ。
【０００８】
前支持部及び腰掛けるための座面部を有する座板状部は、前支持部が上方位置に位置する立ち上がり状態と、座面部に腰掛けた使用者を上向きに支持し得る状態である座面部支持状態を変換し得る。
【０００９】
ベンチ周辺の空間に比較的に余裕がある場合は、座板状部を、座面部に腰掛けた使用者の臀部付近を上向きに支持し得る状態である座面部支持状態として、ベンチ及びその前方の空間をやや広く利用するものとすることができる。
【００１０】
ベンチ周辺の空間にあまり余裕がない場合は、座板状部を、前支持部が上方位置に位置する立ち上がり状態とすることにより、上方位置に位置する前支持部により主として使用者の臀部付近を上向きに支持し、前支持部の後上方に位置する後支持部により、その使用者の主として腰部付近を前向きに支持することができる状態として、ベンチ及びその前方の空間の利用を節約しつつ使用者を支持し得るものとすることができる。
【００１１】
(2) 上記立ち上がり状態においては、上記座板状部の座面部が後向き垂直状又は前方上向き傾斜状をなし、
上記座面部支持状態においては、立ち上がり状態に比し、前記座面部が前方へ張り出し、上記前支持部が前下方に位置する上記(1)記載のベンチ。
【００１２】
(3) 上記座面部支持状態における座面部は、上方位置に位置した状態の上記前支持部に比し、使用者の臀部付近を含む広い部分を上向きに支持し得るものである上記(1)又は(2)記載のベンチ。
【００１３】
(4) 上記座板状部が、立ち上がり状態と座面部支持状態を、前後方向に対し直交する水平方向の回動軸線のまわりに回動して変換し得るものである上記(1)乃至(3)の何れか１項に記載のベンチ。
【００１４】
(5) 上記の上方に位置した前支持部と、後支持部は、一人を支持し得るもの又は左右方向に並んだ複数人を支持し得るものである上記(1)乃至(4)の何れか１項に記載のベンチ。
【００１５】
(6) 上方位置に位置した状態の前支持部と後支持部の間の下方に、前支持部により主として使用者の臀部付近が上向きに支持され且つ後支持部により主として使用者の腰部付近が前向きに支持された状態において前支持部により支持された部位と後支持部により支持された部位の間の使用者の部位が一部を占め得る空間部を有する上記(1)乃至(5)の何れか１項に記載のベンチ。
【発明の効果】
【００１６】
本発明のベンチによれば、ベンチ周辺の空間に比較的に余裕がある場合は、座板状部を、座面部に腰掛けた使用者を上向きに支持し得る状態である座面部支持状態として、ベンチ及びその前方の空間をやや広く利用するものとすることができ、ベンチ周辺の空間にあまり余裕がない場合は、座板状部を、前支持部が上方位置に位置する立ち上がり状態とすることにより、上方位置に位置する前支持部により主として使用者の臀部付近を上向きに支持し、前支持部の後上方に位置する後支持部により、その使用者の主として腰部付近を前向きに支持することができる状態として、ベンチ及びその前方の空間の利用を節約しつつ使用者を支持し得るものとすることができる。
【図面の簡単な説明】
【００１７】
【図１】分解斜視図である。
【図２】座板状部を水平状態とした斜視図である。
【図３】座板状部を垂直立ち上がり状態とした斜視図である。
【発明を実施するための形態】
【００１８】
[1] 本発明の実施の形態
【００１９】
本発明の実施の形態を、図面を参照しつつ説明する。
【００２０】
図面は何れも本発明の実施の形態の一例としてのベンチに関するものである。
【００２１】
このベンチは、主として、前支持部Ｆ、後支持部Ｒ、及び、座板状部Ｃ、並びに、床部（図示せず）に対し後支持部Ｒ及び座板状部Ｃを支持するフレーム部Ｗからなる。
【００２２】
(1) フレーム部Ｗは、
床部上に固定するための左右の基盤部Ｓと、
左右の基盤部Ｓにおける前後にそれぞれ立設された前部支柱Ｗｆ及び（前部支柱Ｗｆよりも高い）後部支柱Ｗｒと、
左右の前部支柱Ｗｆの下部を連結する前部水平バーＷｂと、
左右の後部支柱Ｗｒの上下中間部を連結する後部中間水平バーＲｍと、
左右の後部支柱Ｗｒの上端部を連結する後部上端水平バーＲｕと、
前部支柱Ｗｆの上下中間部と後部支柱Ｗｒを左右それぞれにおいて水平に連結する前後中間連結部Ｌｍと、
前部支柱Ｗｆの上端部と後部支柱Ｗｒを左右それぞれにおいて水平に連結する前後上部連結部Ｌｕと、
前後中間連結部Ｌｍの位置よりもやや上方で後部中間水平バーＲｍのやや下方において左右の前部支柱Ｗｆに対し互いに相対する向きに左右水平状にそれぞれ突設された回動支持部Ｐからなり、
左右の前後中間連結部Ｌｍの前後方向中間位置に設けられた水平状態ロック部Ｋｈ（図２に円で囲まれている）と、
左右の前部支柱Ｗｆにおける前部水平バーＷｂと前後中間連結部Ｌｍの間の高さ位置に設けられた立ち上がり状態ロック部Ｋｕを有する。
【００２３】
(2) 座板状部Ｃは、水平状態において平面視横長長方形状をなす厚板状の座板基体Ｃｂの長辺である前端部に前支持部Ｆを支持し、座板基体Ｃｂの上側に腰掛けるための座面部Ｃｓを有する。
【００２４】
前支持部Ｆは、軸線が左右水平方向の略円柱形状をなし、外周側はクッション性を有する材料により覆われている。前支持部Ｆは、一人又は左右水平方向に並んだ二人を支持し得る連続状をなす。
【００２５】
座面部Ｃｓは、水平状態の座板基体Ｃｂの上側全面をクッション性の材料により覆ってなるものであり、座面部Ｃｓは、左右水平方向に一人毎に分割されている。
【００２６】
座板状部Ｃは、両側の対応する中間位置にそれぞれ外向きに突設した左右の回動軸体部Ｃｔがそれぞれフレーム部Ｗの左右の回動支持部Ｐによって回動可能に支持されている。これにより、座板状部Ｃは、前支持部Ｆが上方位置に位置する垂直立ち上がり状態と、座面部Ｃｓが使用者の臀部と大腿部にわたる部分を上向きに支持する略水平状態（座面部支持状態）を、左右水平方向の回動軸線のまわりに図２及び図３における矢示のように９０度回動して変換し得るものとされている。
【００２７】
座板状部Ｃが垂直立ち上がり状態にある場合、座板基体Ｃｂの後端部Ｃｂ１（垂直立ち上がり状態であるから座板基体Ｃｂの下端部に位置し、図３では前部水平バーＷｂの裏側に隠れている。）の前側が前部水平バーＷｂに支持され、座板状部Ｃが水平状態にある場合、座板基体Ｃｂの後端部Ｃｂ１の上側が後部中間水平バーＲｍに支持される。
【００２８】
また、座板状部Ｃは、座板基体Ｃｂ内部の左右後部にそれぞれ設けられた座板側ロック部Ｋｃ（図３に円で囲まれている）と左右の立ち上がり状態ロック部Ｋｕが協働して立ち上がり状態で固定し得、左右の座板側ロック部Ｋｃと左右の水平状態ロック部Ｋｈが協働して水平状態で固定し得る。
【００２９】
前支持部Ｆは、座板状部Ｃが垂直立ち上がり状態（座面部Ｃｓが後向き垂直状をなし座面部Ｃｓに立てた垂線が後方を向く直立状態）である場合に上方位置に位置し、一人又は二人の使用者の主として臀部付近を上向きに支持し得る。
【００３０】
(3) 後支持部Ｒは、軸線が左右水平方向の略円柱形状をなし、外周側はクッション性を有する材料により覆われており、フレーム部Ｗの後部上端水平バーＲｕによって支持されて、上方位置に位置する前支持部Ｆに対し後上方に位置する。後支持部Ｒは、左右水平方向に一人毎に分割されている。
【００３１】
後支持部Ｒは、上方位置に位置する前支持部Ｆにより主として臀部付近が上向きに支持された使用者の、主として腰部付近を前向きに支持するためのものであり、前支持部Ｆと協働して一人又は左右水平方向に並んだ二人を支持し得る。
【００３２】
(4) このベンチにおいて座板状部Ｃが垂直立ち上がり状態にあって前支持部Ｆが上方位置に位置する場合に、前支持部Ｆにより主として臀部付近が上向きに支持され且つ後支持部Ｒにより主として腰部付近が前向きに支持された使用者が占め得る空間部は、
前支持部Ｆの上部の高さよりも上方であって後支持部Ｒの前部と前支持部Ｆの前部の間の空間部（空間部Ａ）、
前支持部Ｆの上部よりも下方の所定高さ位置（少なくとも軸線が左右水平方向の略円柱形状の前支持部Ｆの下端の高さ位置）よりも上方であって後支持部Ｒの前部と前支持部Ｆの後部の間の空間部（空間部Ｂ）、
前支持部Ｆよりも前方の空間部、
及び、
空間部Ａ及び空間部Ｂの後方に連続する、後支持部Ｒの上方及び下方の両方の空間部である。
【００３３】
[2] 本発明の実施の形態を、上記以外の形態を含めて更に説明する。
【００３４】
本発明のベンチは、前支持部、後支持部、及び、座板状部を備えてなる。
【００３５】
(1) 座板状部は、前記前支持部及び腰掛けるための座面部を有し、前支持部が上方位置に位置する立ち上がり状態と、座面部に腰掛けた使用者を上向きに支持し得る状態である座面部支持状態（例えば略水平状態）を変換し得るものであり、例えば、地面、床、壁又はその他の構造物等に対し支持されたものとすることができる。
【００３６】
座板状部は、立ち上がり状態と座面部支持状態を、例えば、前後方向に対し直交する水平方向（左右水平方向）の回動軸線（例えば、座板状部の前後方向中間位置又は後端位置における、座面部支持状態において座板状部と同等の高さ又は上方若しくは下方に位置する回動軸線）のまわりに回動して変換し得るものとすることができる。
【００３７】
また、座板状部は、立ち上がり状態と座面部支持状態でそれぞれ固定し得るものとすることができる。
【００３８】
腰掛けるための座面部は、座板状部が座面部支持状態である場合に腰掛けた使用者を上向きに支持し得るものであり、上方位置に位置した状態の前支持部が後述のように主として使用者の臀部付近を上向きに支持し得る範囲に比し、使用者の臀部付近を含む広い部分（例えば臀部と大腿部にわたる部分）を上向きに支持し得るものとすることができる。
【００３９】
座面部は、例えば、板状、すのこ状、格子状等とすることができ、硬質材料、クッション性を有する材料等の各種材料からなるものとすることができる。
【００４０】
座面部は、一人又は左右（水平）方向に並んだ複数人を支持し得るものとすることができる。左右（水平）方向に並んだ複数人を支持し得るものとしては、左右（水平）方向に連続状をなすもののほか、左右（水平）方向に所定の人数毎に分割されているものとすることもできる。
【００４１】
座板状部は、座面部支持状態（例えば略水平状態）における前部（例えば前端部）に、座面部とは別に又は座面部の一部を構成するものとして前支持部を有するものとすることができる。前支持部は、座板状部が立ち上がり状態（例えば座面部が後向き垂直状をなし座面部に立てた垂線が後方を向く直立状態、或いは、座面部が前方上向き傾斜状をなし座面部に立てた垂線が後上方を向く傾斜状態等）である場合に上方位置に位置し、主として使用者の臀部付近を上向きに支持し得る。
【００４２】
前支持部は、例えば、上方位置に位置する場合に上部から前部にかけて、外周（左右水平方向に対し垂直な横断面の外周）が円周状をなし、クッション性を有する材料からなるものとすることができるが、これに限るものではない。
【００４３】
前支持部は、一人又は左右（水平）方向に並んだ複数人を支持し得るものとすることができる。左右（水平）方向に並んだ複数人を支持し得るものとしては、左右（水平）方向に連続状をなすもののほか、左右（水平）方向に所定の人数毎に分割されているものとすることもできる。
【００４４】
(2) 後支持部は、上方位置に位置する前支持部により主として臀部付近が上向きに支持された使用者の、主として腰部付近を前向きに支持するためのものであり、前記上方位置に位置する前支持部に対し後上方に位置する。
【００４５】
後支持部は、例えば、地面、床、壁又はその他の構造物等に対し、座板状部と共に又は座板状部と別に、支持されたものとすることができる。
【００４６】
後支持部は、例えば、前下方部から前部及び上部にかけて、外周（左右水平方向に対し垂直な横断面の外周）が円周状をなし、クッション性を有する材料からなるものとすることができるが、これに限るものではない。
【００４７】
後支持部は、前支持部と協働して一人又は左右（水平）方向に並んだ複数人を支持し得るものとすることができる。左右（水平）方向に並んだ複数人を支持し得るものとしては、左右（水平）方向に連続状をなすもののほか、左右（水平）方向に所定の人数毎に分割されているものとすることもできる。
【００４８】
上方位置に位置した状態の前支持部の上部の高さよりも上方であって後支持部の前部と上方位置の前支持部の前部の間の空間部（空間部Ａ）は、前支持部により主として臀部付近が上向きに支持され且つ後支持部により主として腰部付近が前向きに支持された使用者が占め得る。
【００４９】
なお、後支持部は固定されたものとすることができるが、必ずしもこれに限らず、例えば上下方向、前後方向等に可動とすることもできる。
【００５０】
(3) 上方位置に位置した状態の前支持部と後支持部の間の下方には、前支持部により主として使用者の臀部付近が上向きに支持され且つ後支持部により主として使用者の腰部付近が前向きに支持された状態において前支持部により支持された部位と後支持部により支持された部位の間の使用者の部位が一部を占め得る空間部を有するものとすることができる。
【００５１】
すなわち、使用者の当該部位が一部を占め得る空間部として、上方位置に位置した状態の前支持部の上部よりも下方の所定高さ位置（例えば、少なくとも前支持部の上端より１０ｃｍ下方の位置或いは５ｃｍ下方の位置）よりも上方であって後支持部の前部と上方位置の前支持部の後部の間（例えば後支持部の前部と上方位置の前支持部及び座面との間）の空間部（空間部Ｂ）を有するものとすることができる。
【００５２】
なお、例えば後支持部の上方及び下方の両方又は一方の空間部を、それぞれ前記空間部Ａ及び空間部Ｂの後方に連続して有するものとすることもできる。
【符号の説明】
【００５３】
Ａ      空間部
Ｂ      空間部
Ｃ      座板状部
Ｃｂ    座板基体
Ｃｂ１  後端部
Ｃｓ    座面部
Ｃｔ    回動軸体部
Ｆ      前支持部
Ｋｃ    座板側ロック部
Ｋｈ    水平状態ロック部
Ｋｕ    立ち上がり状態ロック部
Ｌｍ    前後中間連結部
Ｌｕ    前後上部連結部
Ｐ      回動支持部
Ｒ      後支持部
Ｒｍ    後部中間水平バー
Ｒｕ    後部上端水平バー
Ｓ      基盤部
Ｗ      フレーム部
Ｗｂ    前部水平バー
Ｗｆ    前部支柱
Ｗｒ    後部支柱
【図１】
2018075324.tif 000003
【図２】
2018075324.tif 000004
【図３】
2018075324.tif 000005